(57)【要約】【課題】  カメラレンズに螺着されたコンバージョンレンズに花形レンズフードを確実に取り付ける。【解決手段】  カメラレンズ前面に螺着されるコンバージョンレンズ１０の先端部にフランジ部１１を突設してその外周面に凹凸面１２を形成する。凹凸面１２の外周部に緩嵌する内周面２１を有する花形レンズフード２０の後端部に内周面２１から離間した一対の弾性を有する抜け止め舌片２４を突設し、その自由端部内面に係止爪２４ａを突設する。花形レンズフード２０をコンバージョンレンズ１０の前面に挿入すると、係止爪２４ａが凹凸面１２の外周部に摺接し、抜け止め舌片２４が拡開して挿入可能になり、挿入状態で係止爪２４ａがフランジ部後端面１１ｂに係合して抜け止めとなり突条２２が凹凸面１２の凹部に係合して回り止めとなる。【選択図】        図１
2005091908.tif 000002
【特許請求の範囲】
【請求項１】
カメラレンズ前面のフィルタねじに螺着される補助レンズに角形レンズフードを装着するためのレンズフード取付構造であって、
前記補助レンズの先端側外周面に平歯車状の凹凸面を形成したフランジ部を突設し、前記角形レンズフードの後端側内周面に前記フランジ部の凹凸面に係合可能な回り止め部材と、前記フランジ部を挿通してその後端面に係止可能な弾性を備えた抜け止め部材とを設けたことを特徴とするレンズフード取付構造。
【請求項２】
前記補助レンズは、前記カメラレンズの焦点距離を広角側又は望遠側に変換可能なコンバージョンレンズであることを特徴とする請求項１記載のレンズフード取付構造。
【請求項３】
前記角形レンズフードは花形レンズフードであることを特徴とする請求項１記載のレンズフード取付構造。
【請求項４】
前記回り止め部材は、前記フランジ部の凹凸面の凹部に係合可能な突条からなることを特徴とする請求項１記載のレンズフード取付構造。
【請求項５】
前記抜け止め部材は、基部が前記角形レンズフードのフード本体に一体となり、自由端部に中心方向に突出する係止爪を有することを特徴とする請求項１記載のレンズフード取付構造。
【発明の詳細な説明】
【技術分野】
【０００１】
この発明は、カメラレンズの画角外からの有害光線を遮断するために、その先端部に装着するレンズフードの取付構造に関し、特にデジタルカメラ又はデジタルビデオカメラのカメラレンズ前面に装着してその焦点距離を広角側又は望遠側に変換するコンバージョンレンズ等の補助レンズに着脱可能な角形レンズフードの取付構造に関する。
【背景技術】
【０００２】
従来から銀塩カメラ又はデジタルカメラ（デジタルビデオカメラも含む）の画面にフレアやゴーストを発生させるレンズ画角外からの有害光線を遮光するため、レンズ先端部に着脱可能なレンズフードが用いられている。この種のレンズフードとしては、レンズ全体又はその前玉部が焦点調節の際に回転する回転レンズ系や、装着角度位置が定まらないねじマウントレンズ系にも取り付け可能な丸型レンズフードと、焦点調節の際に回転せず且つ装着角度位置が一定なバヨネットマウント等の直進レンズ系に取り付け可能な角形レンズフードとがある。
このうち、丸形レンズフードは、画面の対角線上にケラレが生じないようにフードの光軸方向の長さが制約されているため、特に広角系のレンズでは充分に遮光効果を得ることができないきらいがあった。
これに対し、角形レンズフードは、フード先端部が画面に相似した形状に形成されているため、画面前面に亘って遮光効率が高く、充分な遮光効果を得ることができる。しかしながら、これを画角の広い広角レンズに用いようとすると、光軸に直交する方向の開口面積が著しく大きくなり、嵩ばって携帯に不具合が生じるという問題点があった。
【０００３】
このような問題点を解決するため、角形レンズフードの画面対角線に対応する部分を切り欠き、画面の長辺側（又は短辺側）のように余裕のある部分を最大限に伸長した花形レンズフードが開発され、特に広角系の単焦点レンズやズームレンズに広く用いられている。
一方、昨今のＣＣＤ素子やＣＭＯＳセンサ等の撮像素子を用いたデジタルカメラでは、カメラの小形化や生産コストの面からカメラレンズのズーム域に自ら制約があり、特に広角側は前玉の口径が著しく大きくなるため、画角を充分大きくとることができなかった。そのため、カメラレンズのズーム域以外の広角域あるいは望遠域を必要とする場合には、レンズ前面に広角又は望遠のコンバージョンレンズを装着して、焦点距離を広角側又は望遠側に変換するしかなかった。
【発明の開示】
【発明が解決しようとする課題】
【０００４】
しかしながら、このようなコンバージョンレンズは、市販されているもののほとんどがカメラレンズ前面のフィルタねじに螺合して取り付けるようになっているため、カメラ側に取り付けたときの取付角度位置が各カメラ，各モデルによってそれぞれ異なっており、且つ、同一カメラ，同一モデルでも装着位置に変動があって、直進型カメラレンズを有する各カメラ毎に開発されたバヨネット結合の専用花形レンズフードや角形レンズフードが取り付け不能であるという問題があった。したがって、コンバージョンレンズ装着時は止むを得ず市販の丸形レンズフードをコンバージョンレンズ前面のフィルタねじに装着して使用せざるを得ず、充分な遮光効果が得られずにフレアやゴーストが発生したり、レンズフードの選択を間違って画面の四隅が暗くなったりするおそれがあった。なお、被せ式の角形レンズフードも考えられるが、使用時の安定性に不安があり、僅かな接触により脱落したり取付角度が狂ったりするという問題点があった。
【０００５】
さらに、これらのデジタルカメラに用いられるＣＣＤ素子やＣＭＯＳセンサ等の撮像素子は、単なる電気素子ではなく、各素子を形成するフォトダイオオードの前面にはそれぞれ集光用のマイクロレンズが設けられ、背後には複雑段のメタル層を有している。そのため、撮像レンズを通過した画角外からの強力な光線が侵入すると、マイクロレンズやメタル層の表面で反射し、撮像レンズ内やコンバージョンレンズ内に再入射した反射光線が各レンズの表面やレンズ鏡筒内面で反射を繰り返し、画像のコントラストを低下させフレアやゴーストを発生させる要因となっていた。
この発明は上記の点に鑑みてなされたものであり、コンバージョンレンズ等の補助レンズ前面に所要の取付角度で脱落や回転のおそれなく装着可能なレンズフード取付構造を提供することを目的とする。
【課題を解決するための手段】
【０００６】
この発明は上記の目的を達成するため、カメラレンズ前面のフィルタねじに螺着される補助レンズに角形レンズフードを装着するためのレンズフード取付構造であって、上記補助レンズの先端側外周面に平歯車状の凹凸面を形成したフランジ部を突設し、上記角形レンズフードの後端側内周面に上記フランジ部の凹凸面に係合可能な回り止め部材と、上記フランジ部を挿通してその後端面に係止可能な弾性を備えた抜け止め部材とを設けたレンズフード取付構造を提供するものである。
そして、上記のレンズフード取付構造において、上記補助レンズは、上記カメラレンズの焦点距離を広角側又は望遠側に変換可能なコンバージョンレンズであるとよく、上記角形レンズフードは花形レンズフードであるとさらに小形化が可能になる。
また、上記回り止め部材は、上記フランジ部凹凸面の凹部に係合可能な突条からなるのがよく、上記抜け止め部材は、基部が上記角形レンズフードのフード本体に一体となり、自由端部に中心方向に突出する係止爪を有するようにするのが好ましい。
【発明の効果】
【０００７】
この発明によるレンズフード取付構造は上記のように構成することにより、レンズフードを補助レンズに装着するには、レンズフードの上下方向を定めて補助レンズの前部フランジ部の外周面に光軸方向前方から被せるだけで、レンズフード側の抜け止め部材の端部が補助レンズ側のフランジ部により外方に拡開されて挿入可能となる。装着完了時には上記抜け止め部材の端部が自己の弾性によりフランジ部後端面に係止されてレンズフードの脱落が阻止される。同時にレンズフード内周面に設けた回り止め部材が補助レンズのフランジ部に設けた凹凸部のいずれかに係合して取付角度位置が規制され、その構成は簡単で操作性はきわめて良好である。
【発明を実施するための最良の形態】
【０００８】
以下、この発明を実施するための最良の形態を図面に基づいて説明する。
〔実施例１〕
図１はコンバージョンレンズに花形レンズフードを装着した状態を示すこの実施例の一部断面側面図、図２は図１のＡ−Ａ線に沿う一部拡大断面図、図３はコンバージョンレンズの外観を示す側面図、図４は一部を拡大して示すコンバージョンレンズの正面図、図５は花形レンズフードの一例を示す一部断面側面図、図６はその背面図である。
図示しないカメラレンズの先端部に螺着可能な広角コンバージョンレンズ１０は、図３に示すように、先端部（図３で右端部）に大径のフランジ部１１を突設し、フランジ部１１の外周面には、図４に一部を拡大して示すように、例えばピッチ１ｍｍの凹部１２ａと凸部１２ｂとからなる凹凸面１２を形成し、後端部（図３で左端部）に図示しないカメラレンズのフィルタねじに螺合するねじ部１３を設けている。
【０００９】
一方、上記のコンバージョンレンズ１０に装着可能な花形レンズフード２０は、図５に示すように、花弁状の遮光部を有するフード本体２０ａと、このフード本体２０ａをコンバージョンレンズ１０のフランジ部１１の外周面に嵌合可能な内周面２１を有する円筒状の結合部２０ｂとからなる。結合部２０ｂの内周面２１には、中心軸Ａに平行に内方へ突出してコンバージョンレンズ２０の凹凸面１２の凹部１２ａに係合可能な突条２２と、コンバージョンレンズ１０のフランジ部１１の先端面１１ａに当接して花形レンズフード２０の挿入方向の進入を係止する係止面２３と、結合部２０ｂから離間して基部がフード本体２０ａに一体となり、自由端部に内方へ突出する断面三角形の係止爪２４ａを備え、中心軸Ａに関して対称な弾性を有する一対の抜け止め部材である抜け止め舌片２４，２４とを有している。
【００１０】
このような構成で、コンバージョンレンズ１０を図示しないカメラレンズに装着するにはフランジ部１１を把持してねじ部１３をカメラレンズ前面のフィルタねじに螺着すればよく、このときフランジ部１１の外周面に形成した凹凸面１２がすべり止めの役をなしてコンバージョンレンズ１０の装着操作はきわめて容易である。この状態で、花形レンズフード２０の上下方向を画面の上下方向に合わせ、結合部２０ｂの内周面２１をコンバージョンレンズ１０のフランジ部１１の外周面に被せるように中心軸Ａに平行に図５で左方へ移行させ、抜け止め舌片２４の係止爪２４ａをフランジ部１１の先端面１１ａに当接させる。これにより、抜け止め舌片２４は自己の弾性力に抗して外方へ拡開させる分力が発生し、花形レンズフード２０のさらなる進入が可能になり、結合部２０ｂの内周面２１がフランジ部１１の外周面を摺動して同心状に装着される。このとき、花形レンズフード２０の結合部２０ｂの内周面２１に設けた突条２２はコンバージョンレンズ１０のフランジ部１１の外周部に形成された凹凸面１２の最上部近傍にある凹部１２ａに係合して円周方向の回転が阻止される。
【００１１】
花形レンズフード２０を図５でさらに左方へ挿入すると、図１に示すように、当接面２３がコンバージョンレンズ１０のフランジ部１１の先端面１１ａに当接してその進入が停止すると共に、抜け止め舌片２４の係止爪２４ａがフランジ部１１の後端部１１ｂに係合し、抜け止め舌片２４は自己の弾力性により中心軸Ａ方向へ復帰して不用意な花形レンズフード２０の脱落が阻止される（図２参照）。逆に図１に示したレンズフード装着状態から花形レンズフード２０を取り外すには、フード本体２０ａを把持して所定以上の力で右方へ引き抜くだけでよく、これにより係止爪２４ａがコンバージョンレンズ１０のフランジ部１１の後端面１１ｂに摺接して抜け止め舌片２４の自由端部を自己の弾性力に抗して外方へ拡開させる分力が発生し、引き抜きが可能になる。
【００１２】
なお、上記の実施例においては、花形レンズフード２０の抜け止め舌片２４に形成した係止爪２４ａを断面三角形状に形成し、所定以上の引き抜き方向の力が作用すると離脱するようにしたが、これは、例えばカメラ本体を支持する三角転倒等、予期し得ない外力が作用したときに、花形レンズフードが離脱してコンバージョンレンズやカメラレンズあるいはカメラ本体の損傷を回避するためのものであり、併せて花形レンズフード取り外し時の操作性も向上させることができる。
また、コンバージョンレンズを装着したカメラレンズの画角に余裕がある場合には、花形レンズフードに代えて角形レンズフードや蛇複式レンズフードも装着可能であり、カメラレンズに装着可能な補助レンズはコンバージョンレンズに限るものではなく、カメラレンズのフィルタねじに螺着可能な光学レンズや光学フィルタ等でも差し支えない。
【産業上の利用可能性】
【００１３】
この発明によるレンズフード取付構造は、カメラレンズ前面のフィルタねじに螺着可能なミラージュ，バリミラージュ，バリクロス等の特殊フィルタ類やクローズアップレンズ、マクロ接写レンズ等のレンズフードの取り付け部にも利用可能であり、母体となるカメラ本体もデジタルカメラに限らず銀塩カメラにも何等支障なく適用することができる。
【図面の簡単な説明】
【００１４】
【図１】コンバージョンレンズに花形レンズフードを装着した状態を示す一部断面側面図である。
【図２】図１のＡ−Ａ線に沿う一部拡大断面図である。
【図３】コンバージョンレンズの外観を示す側面図である。
【図４】同じくその一部を拡大して示す正面図である。
【図５】花形レンズフードの一例を示す一部断面側面図である。
【図６】同じくその背面図である。
【符号の説明】
【００１５】
１０：コンバージョンレンズ（補助レンズ）    １１：フランジ部    １２：凹凸面    １３：ねじ部    ２０：花形レンズフード（角形レンズフード）    ２２：突条    ２３：係止面  ２４：抜け止め舌片（抜け止め部材）
【図１】
2005091908.tif 000003
【図２】
2005091908.tif 000004
【図３】
2005091908.tif 000005
【図４】
2005091908.tif 000006
【図５】
2005091908.tif 000007
【図６】
2005091908.tif 000008